(57)【要約】【課題】地震の一定の揺れに連動して、自動的にスイッチが入り、点灯する懐中電灯用自動点灯スイッチを提供する。【解決手段】コの字型のフレーム底部上面に、接触板を設けた箱型を取り付け、その箱型の上に中空円柱型の玉受台を取り付け、円柱型のスイッチ棒にバネを通してから、玉受台の中空部に上から通して箱型との間にバネを挟み、箱型の穴を貫通させ、スイッチ棒の下端に通電板を取り付けする。コの字型のフレーム天井部上面に、スライド式セットレバーとバネを取り付け、そのバネに紐を結び付け、セットレバーの丸棒に引掛け、その紐をフレーム天井部の穴に通して、玉受台にセットした玉に取り付けたことを特徴とする懐中電灯用自動点灯スイッチ。【選択図】図１
2007087913.tif 000002
【特許請求の範囲】
【請求項１】
コの字型のフレーム底部上面に、左右２面が開放され、天井面に穴をあけ、その穴の両側に電気コード付の２枚の接触板を設けた箱型を取り付け、その箱型の上に、上端を玉の形に合わせたすり鉢状にした中空円柱型の玉受台を取り付けし、円柱型のスイッチ棒にバネを通してから、玉受台の中空部に上から通して箱型天井面との間にバネを挟み、箱型天井面にあけた穴を貫通させ、箱型の中に突き出た上下に移動できるスイッチ棒の下端に通電板をてんびん状に取り付け、コの字型のフレーム天井部上面に、丸棒型の引掛けを設けたスライド式セットレバーとバネを取り付け、フレーム天井部の玉受台真上の位置に穴をあけ、取り付けたバネに紐を結び付け、セットレバーの丸棒に引掛け、その紐をフレーム天井部にあけた穴に通して、紐に余裕を持たせ、紐の先端を玉受台にセットした玉に取り付けたことを特徴とする懐中電灯用自動点灯スイッチ。
【発明の詳細な説明】
【技術分野】
【０００１】  本発明は、地震の一定の揺れに連動して、自動的にスイッチが入り、点灯する懐中電灯用自動点灯スイッチに関するものである。
【背景技術】
【０００２】  従来、懐中電灯は直接手でスイッチに触れ、電源を入れて使用していた。
【発明の開示】
【発明が解決しようとする課題】
【０００３】  そのために、次のような問題点あった。
（イ）夜間の突然な地震による停電時には、真暗闇の中で、最初に必要になる懐中電灯を、すばやく探す事が容易でなかった。
（ロ）夜間の突然な地震による停電時には、室内は真暗闇になり、周りの様子がわからないため不安を感じたり、速やかな避難行動が非常に困難であった。
本発明は、これらの問題点を解決するためになされたものである。
【課題を解決するための手段】
【０００４】  コの字型のフレーム底部上面に、左右２面が開放され、天井面に穴をあけ、その穴の両側に電気コード付の２枚の接触板を設けた箱型を取り付けする。その箱型の上に、上端を玉の形に合わせたすり鉢状にした中空円柱型の玉受台を取り付けする。円柱型のスイッチ棒にバネを通してから、玉受台の中空部に上から通して箱型天井面との間にバネを挟み、箱型天井面にあけた穴を貫通させ、箱型の中に突き出た上下に移動できるスイッチ棒の下端に通電板をてんびん状に取り付けする。
コの字型のフレーム天井部上面に、丸棒型の引掛けを設けたスライド式セットレバーとバネを取り付け、フレーム天井部の玉受台真上の位置に穴をあける。取り付けたバネに紐を結び付け、セットレバーの丸棒に引掛け、その紐をフレーム天井部にあけた穴に通して、紐に余裕を持たせ、紐の先端を玉受台にセットした玉に取り付けする。以上を特徴とする懐中電灯用自動点灯スイッチである。
【発明の効果】
【０００５】  夜間の突然な地震による停電時には、地震の一定の揺れに連動して、瞬時に、自動的にスイッチが入り懐中電灯が点灯するため、懐中電灯を探さずに置いてある場所がわかる。また、点灯により室内が真暗闇にならないので、近くにいた人の様子や室内の状態を把握することができ、安全かつ迅速に救助や避難行動ができる。さらに、不安をやわらげる事もできる。
【発明を実施するための最良の形態】
【０００６】  以下、本発明の実施の形態について説明する。
（イ）コの字型のフレーム（１）底部上面に、左右２面が開放され、天井面中央部に丸い穴をあけ、その穴の両側に電気コード（８）付の２枚の金属性接触板（７）を設けた箱型（３）を取り付けする。
（ロ）箱型（３）の天井面にあけた穴の真上に、上端を玉（１４）の形に合わせたすり鉢状にした中空円柱型の玉受台（２）を取り付けする。
（ハ）円柱型のスイッチ棒（４）の上端の径を大きくしてバネ（５）の受けを設け、コイル状のバネ（５）を通してから、玉受台（２）の中空部に上から通し、バネ（５）を箱型（３）の天井面との間に挟み、箱型（３）の天井面の穴を貫通させ、箱型（３）の中に突き出た上下に滑らかに移動できるスイッチ棒（４）の下端に、長方形の金属性通電板（６）をてんびん状に取り付けする。
（ニ）コの字型のフレーム（１）天井部上面に、丸棒（１０）型の引掛けを設けたスライド式でストッパー付のセットレバー（９）と、コイル状のバネ（１１）を取り付け、フレーム天井部の玉受台（２）真上の位置に穴（１２）をあけ、その穴の天井部下面に玉（１５）に合わせた形状の受けを設ける。
（ホ）バネ（１１）に紐（１３）を結び付けて、その紐をセットレバー（９）の丸棒（１０）に引掛け、フレーム（１）天井部にあけた穴（１２）に通して、玉（１４）が落下できるように紐（１３）の長さに余裕をもたせ、紐（１３）の先端を玉受台（２）にセットした玉（１４）に取り付けする。
本発明は以上のような構成で、これを使用するときは、脚（１９）を備えた懐中電灯カバー（１７）に、本発明の構成を実施したフレーム（１）を垂直に取り付け、電気コード（８）をメインスイッチ（１８）に接続する。その懐中電灯を水平な場所に置き、メインスイッチ（１８）をオンに入れる。次に、セットレバー（９）を解除時の位置からセット時の位置までゆっくりとスライドさせる。同時に紐（１３）が緩み、玉の重さで玉が解除時（１５）の位置からセット時（１４）の位置まで下がり、すり鉢状の玉受台（２）の上に乗りセットされる。それにともない、スイッチ棒（４）が玉（１４）の重さで下に移動して、接触板（７）から通電板（６）が離れて切電する。
地震時には一定の揺れに連動して、玉がセット時（１４）の位置から落ちて落下時（１６）の位置へ移動する。それにともない、スイッチ棒（４）がバネ（５）の反力により上に移動して、通電板（６）が接触板（７）に触れて通電し、懐中電灯が点灯する。
普通に懐中電灯を使用する場合は、セットレバー（９）を解除時の位置にスライドさせ、紐（１３）を引っ張り上げて、玉を解除時（１５）の位置で固定させる。
【図面の簡単な説明】
【０００７】
【図１】本発明の斜視図
【図２】本発明の組込み使用例を示す透視斜視図
【図３】本発明の側面を切り欠いた断面図
【図４】本発明の正面を切り欠いた断面図
【符号の説明】
【０００８】  １  フレーム
２  玉受台
３  箱型
４  スイッチ棒
５  バネ
６  通電板
７  接触板
８  電気コード
９  セットレバー
１０  丸棒
１１  バネ
１２  穴
１３  紐
１４  玉（セット時）
１５  玉（解除時）
１６  玉（落下時）
１７  懐中電灯カバー
１８  メインスイッチ
１９  脚
【図１】
2007087913.tif 000003
【図２】
2007087913.tif 000004
【図３】
2007087913.tif 000005
【図４】
2007087913.tif 000006